(57)【特許請求の範囲】
【請求項１】
伝送路からの入力断を検知する光受信部と、
前記光受信部が入力断を検知した場合、所定の制御信号を出力するアラーム処理制御部と、
前記アラーム処理制御部が所定の制御信号を出力した場合、所定の制御信号に対応する所定の信号を生成し、入力断を検知した伝送路と同方向に接続する装置に出力する出力処理部と、
前記アラーム処理制御部が所定の制御信号を出力した場合、所定の制御信号に対応する所定の識別信号を生成する光送信処理部と、
前記光送信処理部からの出力を、入力断を検知した伝送路と逆方向に接続する装置に出力する光送信部と、
前記光受信部からデータを受信し、前記出力処理部へ出力する受信処理部と、
接続する装置からデータを受信し、前記光送信処理部へ出力する入力処理部と
を含む、対向する一対の伝送路で別の通信装置と接続され、
前記光受信部が接続する装置からデータを受信し、前記受信処理部へ出力し、
前記出力処理部が前記受信処理部からデータを受信し、生成した所定の信号をデータに追加して、入力断を検知した伝送路と同方向に接続する装置に出力し、
前記光送信処理部が前記入力処理部からデータを受信し、生成した所定の識別信号をデータに追加して、光送信部に出力し、
また、前記受信処理部が前記光受信部から受信したデータに所定の識別信号を検出した場合、
前記アラーム処理制御部へ所定の識別信号検出を通知し、データから所定の識別信号を除去し、データを前記出力処理部へ出力し、
前記アラーム処理制御部が前記受信処理部から所定の識別信号検出の通知を受信した場合、所定の識別信号に対応する所定の制御信号を前記出力処理部に出力する通信装置。
【請求項２】
前記アラーム処理制御部は、任意の時間に設定される保護時間を記憶し、
前記アラーム処理制御部は、前記光受信部が入力断を検知した場合、検知から保護時間に到達していない場合、前記光送信処理部と前記出力処理部に対して第１の制御信号を出力し、保護時間に到達して以降は、前記光送信データ処理部と前記出力処理部に対して第２の制御信号を出力する請求項１に記載の通信装置。
【請求項３】
前記光送信処理部は、前記アラーム処理制御部が第１の制御信号を出力した場合、第１の識別信号を生成し、第２の制御信号を出力した場合、第２の識別信号を生成し、
前記出力処理部は、前記アラーム処理制御部が第１の制御信号を出力した場合、第１の信号を生成し、第２の制御信号を出力した場合、第２の信号を生成する請求項１または２に記載の通信装置
【請求項４】
前記アラーム処理制御部が記憶する保護時間は１つないし複数設定され、前記アラーム処理制御部が前記光送信処理部と前記出力処理部に対して出力する制御信号の数および前記光送信処理部が生成する識別信号の数および前記出力処理部が生成する信号の数は、設定される保護時間の個数に基づいて決められる請求項１ないし３のいずれか一項に記載の通信装置。
【請求項５】
前記光送信部と、前記光受信部と、前記アラーム処理制御部と、前記光送信処理部と前記受信処理部の機能を兼ね合わせる送受信処理部を備える１つないし複数の中継装置と、
請求項１ないし４のいずれか１項に記載の通信装置を備える通信システム。
【請求項６】
光受信部が伝送路からの入力断を検知し、
アラーム処理制御部が所定の制御信号を出力し、
出力処理部が所定の制御信号に対応する所定の信号を生成し、入力断を検知した伝送路と同方向に接続する装置に出力し、
光送信処理部が所定の制御信号に対応する所定の識別信号を生成し、
光送信部が前記光送信処理部からの出力を、入力断を検知した伝送路と逆方向に接続する装置に出力し、
受信処理部が前記光受信部からデータを受信し、前記出力処理部へ出力し、
入力処理部が接続する装置からデータを受信し、前記光送信処理部へ出力し、
前記出力処理部が前記受信処理部からデータを受信し、生成した所定の信号をデータに追加して、入力断を検知した伝送路と同方向に接続する装置に出力し、
前記光送信処理部が前記入力処理部からデータを受信し、生成した所定の識別信号をデータに追加して、光送信部に出力し、
また、前記受信処理部が前記光受信部から受信したデータに所定の識別信号を検出した場合、
前記アラーム処理制御部へ所定の識別信号検出を通知し、データから所定の識別信号を除去し、データを前記出力処理部へ出力し、
前記アラーム処理制御部が前記受信処理部から所定の識別信号検出の通知を受信した場合、所定の識別信号に対応する所定の制御信号を前記出力処理部に出力する
対向する一対の伝送路で別の通信装置と接続される通信装置の通信方法。
【発明の詳細な説明】
【技術分野】
【０００１】
本発明は、通信装置を対向接続したシステムにおける通信装置、通信システム及び通信方法に関する。
【背景技術】
【０００２】
通信装置を対向接続したシステムにおいて、伝送路の障害が発生した場合にシステムに接続する装置に障害を通知する技術が知られている。この技術は、一方の伝送路において障害が発生した場合に、異常が発生している旨を、システムに接続する装置に通知し、もう一方の伝送路のみで通信を行う。
【０００３】
このような技術の一例が特許文献１に記載されている。特許文献１に記載された技術は、二重リング状態の伝送路の一方で障害が発生した場合、伝送路上の切断箇所の下流側に位置するステーションの受信器で受信信号断を検出する。ステーション管理制御部が受信器からの受信信号断検出通知に応じて、切替スイッチを制御し、もう一方の伝送路の障害発生の有無を判断する。また、ステーション管理制御部は、障害発生している伝送路側の切替スイッチを解放端に接続し、障害が発生していない伝送路のみで伝送を継続する。
【先行技術文献】
【特許文献】
【０００４】
【特許文献１】特開平０７−０５８７６７号公報
【発明の概要】
【発明が解決しようとする課題】
【０００５】
しかしながら、上述した特許文献１に記載された技術は、伝送路上の切断箇所の下流側に位置するステーションが入力断を検知した場合、伝送路に障害が発生しているか否かを障害発生通知用フレームの受信待ちタイマのタイムアウトによって障害発生を判断するまでの保護時間において、切替スイッチを制御し障害が発生していない伝送路のデータを障害発生した伝送路に送出する。したがって、特許文献１に記載された技術は、入力断を検知後、速やかに検知したステーション以外の装置において入力断の情報を伝送することができないという問題点がある。
【０００６】
本発明の目的の一例は、上述した問題点を解決できる通信装置、通信システム及び通信方法を提供することにある。
【課題を解決するための手段】
【０００７】
本発明の一形態における第１の通信装置は、伝送路からの入力断を検知する光受信部と、光受信部が入力断を検知した場合、所定の制御信号を出力するアラーム処理制御部と、アラーム処理制御部が所定の制御信号を出力した場合、所定の制御信号に対応する所定の信号を生成し、入力断を検知した伝送路と同方向に接続する装置に出力する出力処理部と、アラーム処理制御部が所定の制御信号を出力した場合、所定の制御信号に対応する所定の識別信号を生成する光送信処理部と、光送信処理部からの出力を、入力断を検知した伝送路と逆方向に接続する装置に出力する光送信部と、を含む、対向する一対の伝送路で別の通信装置と接続される。
【０００８】
本発明の一形態における第１の対向する一対の伝送路で別の通信装置と接続される通信装置の通信方法は、光受信部が伝送路からの入力断を検知し、アラーム処理制御部が所定の制御信号を出力し、出力処理部が所定の制御信号に対応する所定の信号を生成し、入力断を検知した伝送路と同方向に接続する装置に出力し、光送信処理部が所定の制御信号に対応する所定の識別信号を生成し、光送信部が前記光送信処理部からの出力を、入力断を検知した伝送路と逆方向に接続する装置に出力する。
【発明の効果】
【０００９】
本発明によれば、伝送路上の装置が入力断を検知した場合、速やかに下流および上流の装置に入力断の情報を伝送できるという効果が得られる。
【図面の簡単な説明】
【００１０】
【図１】図１は、本発明の第１の実施の形態における通信システム１００の構成とそれぞれの構成要素である通信装置１０、２０とそれぞれの後段に接続される通信終端装置３０、４０との接続の一例を示すブロック図である。
【図２】図２は、第１の実施の形態における通信装置１０、２０での通信装置２０から通信装置１０への伝送路に障害が発生した場合の、通信の動作の概要を示すタイミングチャートである。
【図３】図３は、本発明の第２の実施形態に係る通信システム１０２の構成と、通信システム１０２の構成要素である通信装置１０、２０、５０の接続の一例を示すブロック図である。
【図４】図４は、本発明の第３の実施形態に係る通信システム１０３の構成と、通信システム１０３の構成要素である通信装置６０、７０と、通信装置６０の後段に接続される通信終端装置３０と、通信装置７０の後段に接続される通信終端装置４０との接続の一例を示すブロック図である。
【発明を実施するための形態】
【００１１】
次に、本発明の実施形態について図面を参照して詳細に説明する。
【００１２】
［第１の実施の形態］
図１は、本発明の第１の実施の形態における通信システム１００の構成とそれぞれの構成要素である通信装置１０、２０とそれぞれの後段に接続される通信終端装置３０、４０との接続の一例を示すブロック図である。また、通信終端装置３０、４０は通信装置１０、２０との通信に関連する接続要素のみを図示しており、それ以外の要素は割愛する。
【００１３】
図１を参照すると、通信装置１０は、入力処理部１１と光送信処理部１２と光送信部１３と光受信部１４と受信処理部１５と出力処理部１６とアラーム処理制御部１７と、を備える。なお、矢印は信号の伝送方向を示す。
【００１４】
次に、第１の実施の形態における通信装置１０の構成について説明する。通信装置２０は通信装置１０と同じ構成なので通信装置１０を代表として説明する。なお、入力処理部１１は入力処理部２１と、光送信処理部１２は光送信処理部２２と、光送信部１３は光送信部２３と、光受信部１４は光受信部２４と、受信処理部１５は受信処理部２５と、出力処理部１６は出力処理部２６と、アラーム処理制御部１７はアラーム処理制御部２７と、それぞれ対応している。
【００１５】
入力処理部１１は、前段の装置（図１では通信終端装置３０）が出力する、データを含む装置間通信信号を受信する。入力処理部１１は、その入力信号を伝送路に出力する伝送路データとして最適な信号形態に変換し、光送信処理部１２に出力する。伝送路データは、どのような種類のデータあるいは情報であってもよく、伝送路上における信号形態には特に制限がない。
【００１６】
光送信処理部１２は、入力処理部１１の出力を受信する。光送信処理部１２は、入力処理部１１からの信号を正常状態ではそのまま、光送信部１３に出力する。アラーム処理制御部１７から所定の制御信号を受信した場合、光送信処理部１２は、所定の識別信号を生成する。アラーム処理制御部１７から所定の制御信号として第１の制御信号を受信した場合には、光送信処理部１２は第１の識別信号を、第２の制御信号を受信した場合には、光送信処理部１２は、第２の識別信号を生成する。光送信処理部１２は、生成した第１または第２の識別信号を入力処理部１１から受信した信号とともに光送信部１３に出力する。
【００１７】
光送信部１３は、光送信処理部１２からの出力を光信号に変換する機能を持つ。光送信部１３は、光通信伝送路を介し、対向する通信装置（図１では通信装置２０）へ伝送路データを送信する。
【００１８】
光受信部１４は、対向する通信装置（図１では通信装置２０）から、光通信伝送路を介し光信号として伝送路データを受信する。光受信部１４は、その伝送路データの光信号を装置内部で処理が可能な電気信号に変換し、電気信号としてのデータを受信処理部１５に出力する。断障害などで光入力断となった場合は、光受信部１４は、光入力断検出信号をアラーム処理制御部１７に出力する。
【００１９】
受信処理部１５は、光受信部１４から出力されたデータを受信する。データ中に所定の識別信号を検出した場合は、受信処理部１５は、アラーム処理制御部１７に所定の識別信号の検出を通知する。また、受信処理部１５は、データ中の識別信号を除去したのち、出力処理部１６にデータを出力する。データ中に所定の識別信号を検出しなかった場合は、受信処理部１５は、そのまま出力処理部１６にデータを出力する。
【００２０】
出力処理部１６は、受信処理部１５から出力されたデータを、後段の装置（図１では通信終端装置３０）にて受信可能な装置間通信信号に変換し、後段の装置（図１では通信終端装置３０）に送信する。また、アラーム処理制御部１７から所定の制御信号を受信した場合、出力処理部１６は、後段の装置（図１では通信終端装置３０）に所定の信号を出力する。この時、第１の制御信号を受信した場合には、出力処理部１６は第１の信号を、第２の制御信号を受信した場合には、出力処理部１６は第２の信号を生成し出力する。出力処理部１６は、受信処理部１５からのデータの受信中に、第１または第２の制御信号を受信した場合、データと第１または第２の信号の両方を出力する。
【００２１】
アラーム処理制御部１７は、光受信部１４から光入力断検出信号を受信した場合、光送信処理部１２と出力処理部１６に所定の制御信号を出力する。この時、光受信部１４から光入力断検出信号を受信して以降、アラーム処理制御部１７にて任意の時間に設定され記憶する保護時間が経過するまでは、アラーム処理制御部１７は第１の制御信号を光送信処理部１２と出力処理部１６に出力する。光入力断のまま保護時間が経過して以降は、アラーム処理制御部１７は第２の制御信号を光送信処理部１２と出力処理部１６に出力する。
【００２２】
また、受信処理部１５から所定の識別信号の検出についての通知を受信した場合、アラーム処理制御部１７は、出力処理部１６のみに所定の制御信号を出力する。この時、第１の識別信号の通知を受信処理部１５から受信した場合は、アラーム処理制御部１７は第１の制御信号を、第２の識別信号の通知を受信処理部１５から受信した場合は、アラーム処理制御部１７は第２の制御信号を生成し出力処理部１６にする。
【００２３】
また、図１に示すように、通信装置１０と通信装置２０は対向して接続される。また、通信装置１０と通信装置２０とは光通信伝送路で接続される。
【００２４】
図２は、第１の実施の形態における通信装置１０、２０での通信装置２０から通信装置１０への伝送路に障害が発生した場合の、通信の動作の概要を示すタイミングチャートである。
【００２５】
図２に示すように、通信装置２０から通信装置１０への光通信伝送路に障害が発生し、一定時間データが途絶した場合を想定する。まず、通信装置１０の光受信部１４は、光通信伝送路を介して伝送路データを受信し、電気信号として受信処理部１５に出力する。このとき、障害のため光入力断を検知すると、光受信部１４は、光入力断検出信号をアラーム処理制御部１７に出力する。
【００２６】
次に、アラーム処理制御部１７は、光受信部１４から光入力断検出信号を受信した場合、あらかじめ設定された保護時間の満了前のため、第１の制御信号を光送信処理部１２と出力処理部１６に出力する。光入力断検出信号を受信し続けている、すなわち光入力断状態が継続している場合、保護時間を満了すると、アラーム処理制御部１７は、第１の制御信号から第２の制御信号に切り替えて出力する。
【００２７】
図２は通信装置１０から通信終端装置３０への通信におけるタイミングチャートも同時に示している。
【００２８】
受信処理部１５は、光受信部１４から受信したデータを出力処理部１６に出力する。伝送路の障害が発生している状態ではデータを受信しないため、受信処理部１５は、出力処理部１６への出力処理を行わない。
【００２９】
次に、出力処理部１６は、受信処理部１５から受信したデータを装置間通信信号に変換し、通信終端装置３０の装置入力部３１に出力する。このとき、アラーム処理制御部１７から所定の制御信号を受信した場合、前述のデータがない時間領域に、出力処理部１６は、データの代わりに所定の信号を生成し、出力する。この時、第１の制御信号を受信した場合、出力処理部１６は第１の信号を、第２の制御信号を受信した場合は出力処理部１６は第２の信号を生成し出力する。信号の切り替わりは、制御信号の切り替わりと完全に同期する。
【００３０】
アラーム処理制御部１７の保護時間では、通信終端装置３０の装置入力部３１は、受信した装置間通信信号から第１の信号のみを検知する。このことにより、通信終端装置３０は、通信装置１０の前段の装置から通信装置１０への伝送路にて何らかの異常状態が発生したことが原因で装置間通信信号が受信できないことが認識できる。また、そのあと装置入力部３１は、第２の信号のみを検知することにより、何らかの異常状態が伝送路の断障害であることが認識できる。
【００３１】
図２は、アラーム処理制御部１７が光入力断検出信号を受信し、光送信処理部１２と出力処理部１６に所定の制御信号を出力して以降の、通信装置１０から通信装置２０を介して通信終端装置４０への通信（障害が発生した伝送路とは逆の方向の伝送路の通信）におけるタイミングチャートも同時に示している。
【００３２】
光送信処理部１２は、入力処理部１１から受信したデータを光送信部１３に出力する。この時、入力処理部１１が通信終端装置３０から装置間通信信号を受信する伝送路には障害は発生していないので、データの送信が継続する。また、アラーム処理制御部１７から所定の制御信号を受信した場合、光送信処理部１２は、所定の識別信号を生成し、入力処理部１１の出力とともに光送信部１３に出力する。この時、第１の制御信号を受信した場合は、光送信処理部１２は第１の識別信号を、第２の制御信号を受信した場合は、光送信処理部１２は第２の識別信号を生成する。
【００３３】
次に、光送信部１３は、光送信処理部１２の出力を光信号に変換し、光通信伝送路を介し、対向する通信装置２０へ伝送路データを送信する。この時、通信装置１０から通信装置２０への伝送路には障害は発生していないので、伝送路データの送信が継続する。
【００３４】
次に、通信装置２０の光受信部２４は、通信装置１０から、光通信伝送路を介し伝送路データを受信する。光受信部２４は、受信したデータを装置内部で処理が可能な電気信号に変換し、データを受信処理部２５に出力する。
【００３５】
次に、受信処理部２５は、光受信部２４から受信したデータを出力処理部２６に出力する。また、受信したデータから所定の識別信号を検出した場合、アラーム処理制御部２７に所定の識別信号の検出を通知する。また、受信処理部２５は、データ中の識別信号を除去したのち、出力処理部２６にデータを出力する。
【００３６】
次に、アラーム処理制御部２７は、受信処理部２５から所定の識別信号の検出についての通知を受信した場合、出力処理部２６のみに所定の制御信号を出力する。この時、第１の識別信号の通知を受信した場合は、アラーム処理制御部２７は第１の制御信号を、第２の識別信号の通知を受信した場合は、アラーム処理制御部２７は第２の制御信号を生成する。
【００３７】
次に、出力処理部２６は、受信処理部２５から受信したデータを通信終端装置４０にて受信可能な装置間通信信号に変換し、通信終端装置４０に送信する。また、アラーム処理制御部２７から所定の制御信号を受信した場合、出力処理部２６は、データに所定の信号を追加し出力する。この時、第１の制御信号を受信した場合は、出力処理部２６は第１の信号を、第２の制御信号を受信した場合は、出力処理部２６は第２の信号を生成する。したがって、出力処理部２６は、データと第１または第２の信号の両方を出力する。
【００３８】
通信終端装置４０の装置入力部４１は、受信した装置間通信信号から第１の信号が追加されたデータを検出する。このことにより、通信終端装置４０は、通信装置２０から後段の装置への伝送路にて何らかの異常状態が発生していること、また、通信装置２０から通信終端装置４０への方向の伝送路には異常が発生していないことが認識できる。また、そのあと第２の信号が追加されたデータを受信することにより、何らかの異常状態が伝送路の断障害であることが認識できる。
【００３９】
以上で、通信装置１０、２０での通信装置２０から通信装置１０への伝送路に障害が発生した場合の、通信の動作を終了する。
【００４０】
次に、本発明の第１の実施の形態の効果について説明する。
【００４１】
上述した本実施形態における通信装置１０は、伝送路上の装置が入力断を検知した場合、速やかに下流および上流の装置に入力断の情報を伝送できるという効果を奏する。
【００４２】
その理由は、以下のような構成を含むからである。即ち、光受信部が入力断を検知した場合、アラーム処理制御部が所定の制御信号を出力する。アラーム処理制御部が所定の制御信号を出力した場合、出力部が所定の制御信号に対応する所定の信号を生成し、入力断を検知した伝送路と同方向（伝送路に対して下流側）に接続する装置に出力する。アラーム処理制御部が所定の制御信号を出力した場合、光送信処理部は所定の制御信号に対応する所定の識別信号を生成する。そして、光送信部は、光送信処理部からの出力を、入力断を検知した伝送路と逆方向（上記伝送路に対して上流側）に接続する装置に出力する。
【００４３】
さらに、本実施形態における通信装置１０は、下流および上流の装置が保護時間満了前すなわち障害発生が確定する前、保護時間満了後すなわち障害発生が確定した後のそれぞれの状態に応じた警報の発出や、装置動作を行うことを可能とする。
【００４４】
その理由は、以下のような構成を含むからである。即ち、第１に、伝送路の光入力断が検出された場合、通信終端装置３０は、通信装置１０から第１の信号のみもしくは第２の信号のみの時間領域を含む装置間通信信号を受信する。第１の信号と第２の信号は、保護時間が経過しているか否かに基づいている。第２に、その場合、通信終端装置４０は、第１の信号が追加されたデータもしくは第２の信号が追加されたデータの時間領域を含む装置間通信信号を受信する。これにより、通信終端装置３０と通信終端装置４０は、各々の通信終端装置への伝送路上の光入力断の事象の有無、光入力断を検出してから保護時間を満了しているか否かの状態を認識することができるので、通信終端装置３０と通信終端装置４０、つまり下流および上流の装置が保護時間満了前、保護時間満了後のそれぞれの状態に応じた警報の発出や、装置動作を行うことを可能とするという効果が得られる。具体的には、運用中の障害発生を想定して、冗長構成として別回線を用意している場合は、通信終端装置３０もしくは通信終端装置４０が第１の信号を受信した場合、別回線への切替を準備することができる。更に第２の信号を受信した場合、すなわち保護時間を満了し障害の発生が確定した時点で切替を実施することが可能となる。また、この場合、切替の際に元回線へのデータの流入の防止のため、第２の信号受信時は通信装置１０よりデータとともにポーズフレームを通信終端装置３０もしくは通信終端装置４０に送信し、通信終端装置３０もしくは通信終端装置４０からのデータ送信を中断し待機状態とすることも可能となる。
【００４５】
また、保護時間を最下流および最上流の装置ではなく各通信装置で設定することで、たとえば、ルーティング機能を有する通信装置は保護時間を長くし、単純な制御のみを行う通信装置は保護時間を短く設定することができる。このように、それぞれの通信装置もしくは伝送路の状況に応じた適切な保護時間を設定することが可能と言う効果もある。
【００４６】
［第２の実施形態］
次に、本発明の第２の実施形態について図面を参照して詳細に説明する。以下、本実施形態の説明が不明確にならない範囲で、前述の説明と重複する内容については説明を省略する。
【００４７】
図３は、本発明の第２の実施形態に係る通信システム１０２の構成と、通信システム１０２の構成要素である通信装置１０、２０、５０の接続の一例を示すブロック図である。通信装置１０、２０の後段にはそれぞれ通信終端装置が接続されるが図３では割愛する。
【００４８】
通信装置５０は、通信装置１０と通信装置２０との間に挿入される中継装置である。通信装置１０と通信装置２０がともに光通信伝送路を介して接続されるため、通信装置５０は、通信装置１０、２０の入力処理部、出力処理部の代わりにそれぞれ光受信部５１、５４、光送信部５３、５６を備える。また、通信装置５０では、通信装置１０、２０における光送信処理部、受信処理部は、双方向の伝送に対応するため両方の機能を兼ねそろえる必要がある。このため、通信装置５０は、通信装置１０、２０の光送信処理部、受信処理部の代わりに送受信処理部５２、５５を備える。このように変更することで、通信装置５０は中継装置としての機能を満たす。
【００４９】
通信システム１０２における、光通信伝送路に障害が発生した場合の通信の動作は、第１の実施形態と同様である。例として、通信装置２０から通信装置５０への光通信伝送路に障害が発生した場合を想定する。
【００５０】
まず、通信装置５０の光受信部５１にて光入力断を検知すると、アラーム処理制御部５７は、送受信処理部５２、５５双方に所定の制御信号を出力する。第１の実施形態では、アラーム処理制御部は障害が発生した伝送路と逆方向の伝送路では光送信処理部に、障害が発生した伝送路と同じ方向の伝送路では出力処理部に所定の制御信号を出力していたが、双方の伝送路に送受信処理部があるため、アラーム処理制御部５７は送受信処理部５２、５５双方に所定の制御信号を出力する。
【００５１】
次に、双方の送受信処理部５２、５５は、所定の識別信号を生成し当該の伝送路のデータに追加する。その後、双方の光送信部５３、５６は、それぞれ通信装置１０、２０へ伝送路データを出力する。
【００５２】
次に、受信した通信装置１０、２０の受信処理部１５、２５は、所定の識別信号を検知し、それぞれアラーム処理制御部１７、２７へ通知する。アラーム処理制御部１７、２７は、所定の制御信号をそれぞれ出力処理部１６、２６へ出力する。受信処理部１５、２５は、データに含まれていた識別信号を除去し、データを出力処理部１６、２６へ出力する。
【００５３】
次に、出力処理部１６、２６は、受信した所定の制御信号に対応した所定の信号を受信したデータに追加する。その後、出力処理部１６、２６は、それぞれ後段の通信終端装置にて受信可能な装置間通信信号に変換し出力する。
【００５４】
次に、双方の通信終端装置は、装置間通信信号を受信し、所定の信号を検知する。このことで伝送路に光入力断が発生したことを認識する。
【００５５】
以上で、通信装置２０から通信装置５０への光通信伝送路に障害が発生した場合の、通信システム１０２の通信の動作を終了する。また、これは通信装置５０すなわち中継装置が複数存在しても同様の処理によって双方の通信終端装置が伝送路に光入力断が発生したことを認識することが可能である。
【００５６】
次に、本発明の第２の実施の形態に特有の効果について説明する。
【００５７】
上述した本実施形態における通信システム１０２は、中継装置を介した場合も同様にそれぞれの最流の装置にて、所定の信号を受信することができ、保護時間満了前、保護時間満了後のそれぞれの状態に応じた警報の発出や、装置動作を行うことが可能である。また、中継装置を複数備えた通信システムであっても同様の効果が期待できる。
【００５８】
［第３の実施形態］
次に、本発明の第３の実施形態について図面を参照して詳細に説明する。以下、本実施形態の説明が不明確にならない範囲で、前述の説明と重複する内容については説明を省略する。
【００５９】
図４は、本発明の第３の実施形態に係る通信システム１０３の構成と、通信システム１０３の構成要素である通信装置６０、７０と、通信装置６０の後段に接続される通信終端装置３０と、通信装置７０の後段に接続される通信終端装置４０との接続の一例を示すブロック図である。第３の実施形態に係る通信システム１０３は、第１及び第２の実施の形態における通信システムの基本的な構成に対応する。
【００６０】
通信装置６０、７０は、それぞれ光受信部６４、７４、アラーム処理制御部６７、７７、出力処理部６６、７６、光送信処理部６２、７２、光送信部６３、７３を備える。
【００６１】
光受信部６４、７４は、伝送路からの入力断を検知する。
【００６２】
アラーム処理制御部６７、７７は、それぞれ光受信部６４、７４が入力断を検知した場合、所定の制御信号を出力する。
【００６３】
出力処理部６６、７６は、それぞれアラーム処理制御部６７、７７が所定の制御信号を出力した場合、所定の制御信号に対応する所定の信号を生成し、入力断を検知した伝送路と同方向に接続する装置に出力する。
【００６４】
光送信処理部６２、７２は、それぞれアラーム処理制御部６７、７７が所定の制御信号を出力した場合、所定の制御信号に対応する所定の識別信号を生成する。
【００６５】
光送信部６３、７３は、それぞれ光送信処理部６２、７２からの出力を、入力断を検知した伝送路と逆方向に接続する装置に出力する。
【００６６】
通信システム１０３における、光通信伝送路に障害が発生した場合の通信の動作は第１の実施形態と同様である。例として、通信装置７０から通信装置６０への光通信伝送路に障害が発生した場合の通信装置６０の動作を想定する。
【００６７】
まず、通信装置６０の光受信部６４にて入力断を検知した場合、アラーム処理制御部６７は、光送信処理部６２、出力処理部６６双方に所定の制御信号を出力する。
【００６８】
次に、光送信処理部６２は、所定の制御信号に対応する所定の識別信号を生成し当該の伝送路のデータに追加する。出力処理部６６は、所定の制御信号に対応する所定の信号を生成し当該の伝送路のデータに追加する。その後、光送信処理部６２は、所定の識別信号を追加したデータを光信号に変換し、光送信部６３を介して通信装置７０へ出力する。出力処理部６６は、所定の信号を追加したデータを装置間通信信号に変換し、通信終端装置３０へ出力する。
【００６９】
以上で、通信装置７０から通信装置６０への光通信伝送路に障害が発生した場合の、通信装置６０の動作を終了する。
【００７０】
次に、本発明の第３の実施の形態の効果について説明する。
【００７１】
上述した本実施形態における通信装置６０は、伝送路上の装置が入力断を検知した場合、速やかに下流および上流の装置に、入力断の情報を伝送できる。
【００７２】
その理由は、以下のような構成を含むからである。即ち、第１に光受信部６４にて入力断を検知した場合、アラーム処理制御部６７は、光送信処理部６２、出力処理部６６双方に所定の制御信号を出力する。第２に、光送信処理部６２は、所定の制御信号に対応する所定の識別信号を生成し当該の伝送路のデータに追加する。出力処理部６６は、所定の制御信号に対応する所定の信号を生成し当該の伝送路のデータに追加する。第３に、光送信処理部６２は、所定の識別信号を追加したデータを光信号に変換し、光送信部６３を介して通信装置７０へ出力する。出力処理部６６は、所定の信号を追加したデータを装置間通信信号に変換し、通信終端装置３０へ出力する。これにより、通信装置６０は、入力断を検知した場合、速やかに下流の装置である通信終端装置３０におよび上流の装置である通信装置７０に、入力断の情報を伝送できるという効果が得られる。また、通信終端装置３０が入力断の情報すなわち所定の信号を検知した場合、通信終端装置３０は、伝送路上に入力断の状態があることを検知できる。
【００７３】
以上説明した、本発明の各実施形態における各構成要素は、その機能をハードウェア回路で実現することはもちろん、プログラム制御に基づくコンピュータ装置、ファームウェアを使用して実現することができる。プログラムは、磁気ディスクや半導体メモリなどのコンピュータ可読記録媒体に記録されて提供され、コンピュータの立ち上げ時などにコンピュータに読み取られる。この読み取られたプログラムは、そのコンピュータの動作を制御することにより、そのコンピュータを前述した各実施の形態における構成要素として機能させる。
【００７４】
以上、各実施の形態を参照して本発明を説明したが、本発明は上記実施の形態に限定されるものではない。本発明の構成や詳細には、本発明のスコープ内で当業者が理解しえる様々な変更をすることができる。
【００７５】
たとえば、以上の各実施形態で説明した各構成要素は、必ずしも個々に独立した存在である必要はない。例えば、各構成要素は、複数の構成要素が１個のモジュールとして実現されたり、一つの構成要素が複数のモジュールで実現されたりしてもよい。また、各構成要素は、ある構成要素が他の構成要素の一部であったり、ある構成要素の一部と他の構成要素の一部とが重複していたり、といったような構成であってもよい。
【００７６】
上記の実施形態の一部又は全部は、以下の付記のようにも記載されうるが、以下には限られない。
【００７７】
（付記１）伝送路からの入力断を検知する光受信部と、前記光受信部が入力断を検知した場合、所定の制御信号を出力するアラーム処理制御部と、前記アラーム処理制御部が所定の制御信号を出力した場合、所定の制御信号に対応する所定の信号を生成し、入力断を検知した伝送路と同方向に接続する装置に出力する出力処理部と、前記アラーム処理制御部が所定の制御信号を出力した場合、所定の制御信号に対応する所定の識別信号を生成する光送信処理部と、前記光送信処理部からの出力を、入力断を検知した伝送路と逆方向に接続する装置に出力する光送信部と、を含む、対向する一対の伝送路で別の通信装置と接続される通信装置。
【００７８】
（付記２）前記光受信部からデータを受信し、前記出力処理部へ出力する受信処理部と、接続する装置からデータを受信し、前記光送信処理部へ出力する入力処理部とをさらに含み、前記光受信部が接続する装置からデータを受信し、前記受信処理部へ出力し、前記出力処理部が前記受信処理部からデータを受信し、生成した所定の信号をデータに追加して、入力断を検知した伝送路と同方向に接続する装置に出力し、前記光送信処理部が前記入力処理部からデータを受信し、生成した所定の識別信号をデータに追加して、光送信部に出力する請求項１記載の通信装置。
【００７９】
（付記３）前記受信処理部が前記光受信部から受信したデータに所定の識別信号を検出した場合、前記アラーム処理制御部へ所定の識別信号検出を通知し、データから所定の識別信号を除去し、データを前記出力処理部へ出力し、前記アラーム処理制御部が前記受信処理部から所定の識別信号検出の通知を受信した場合、所定の識別信号に対応する所定の制御信号を前記出力処理部に出力する請求項２に記載の通信装置。
【００８０】
（付記４）前記アラーム処理制御部は、任意の時間に設定される保護時間を記憶し、前記アラーム処理制御部は、前記光受信部が入力断を検知した場合、検知から保護時間に到達していない場合、前記光送信処理部と前記出力処理部に対して第１の制御信号を出力し、保護時間に到達して以降は、前記光送信データ処理部と前記出力処理部に対して第２の制御信号を出力する請求項１ないし３のいずれか一項に記載の通信装置。
【００８１】
（付記５）前記光送信処理部は、前記アラーム処理制御部が第１の制御信号を出力した場合、第１の識別信号を生成し、第２の制御信号を出力した場合、第２の識別信号を生成し、前記出力処理部は、前記アラーム処理制御部が第１の制御信号を出力した場合、第１の信号を生成し、第２の制御信号を出力した場合、第２の信号を生成する請求項１ないし４のいずれか一項に記載の通信装置
（付記６）前記アラーム処理制御部が記憶する保護時間は１つないし複数設定され、前記アラーム処理制御部が前記光送信処理部と前記出力処理部に対して出力する制御信号の数および前記光送信処理部が生成する識別信号の数および前記出力処理部が生成する信号の数は、設定される保護時間の個数に基づいて決められる請求項１ないし５のいずれか一項に記載の通信装置。
【００８２】
（付記７）前記光出力部と、前記光入力部と、前記アラーム処理制御部と、前記光送信処理部と前記受信処理部の機能を兼ね合わせる送受信処理部を備える１つないし複数の中継装置と、請求項２ないし６のいずれか１項に記載の通信装置を備える通信システム。
【００８３】
（付記８）光受信部が伝送路からの入力断を検知し、アラーム処理制御部が所定の制御信号を出力し、出力処理部が所定の制御信号に対応する所定の信号を生成し、入力断を検知した伝送路と同方向に接続する装置に出力し、光送信処理部が所定の制御信号に対応する所定の識別信号を生成し、光送信部が前記光送信処理部からの出力を、入力断を検知した伝送路と逆方向に接続する装置に出力する対向する一対の伝送路で別の通信装置と接続される通信装置の通信方法。
【００８４】
（付記９）受信処理部が前記光受信部からデータを受信し、前記出力処理部へ出力し、入力処理部が接続する装置からデータを受信し、前記光送信処理部へ出力し、前記出力処理部が前記受信処理部からデータを受信し、生成した所定の信号をデータに追加して、入力断を検知した伝送路と同方向に接続する装置に出力し、前記光送信処理部が前記入力処理部からデータを受信し、生成した所定の識別信号をデータに追加して、光送信部に出力する請求項８記載の通信方法。
【００８５】
（付記１０）前記受信処理部が前記光受信部から受信したデータに所定の識別信号を検出した場合、前記アラーム処理制御部へ所定の識別信号検出を通知し、データから所定の識別信号を除去し、データを前記出力処理部へ出力し、前記アラーム処理制御部が前記受信処理部から所定の識別信号検出の通知を受信した場合、所定の識別信号に対応する所定の制御信号を前記出力処理部に出力する請求項９に記載の通信方法。
【００８６】
（付記１１）前記アラーム処理制御部は、任意の時間に設定される保護時間を記憶し、前記アラーム処理制御部は、前記光受信部が入力断を検知した場合、検知から保護時間に到達していない場合、前記光送信処理部と前記出力処理部に対して第１の制御信号を出力し、保護時間に到達して以降は、前記光送信データ処理部と前記出力処理部に対して第２の制御信号を出力する請求項８ないし１０のいずれか一項に記載の通信方法。
【００８７】
（付記１２）前記光送信処理部は、前記アラーム処理制御部が第１の制御信号を出力した場合、第１の識別信号を生成し、第２の制御信号を出力した場合、第２の識別信号を生成し、前記出力処理部は、前記アラーム処理制御部が第１の制御信号を出力した場合、第１の信号を生成し、第２の制御信号を出力した場合、第２の信号を生成する請求項８ないし１１のいずれか一項に記載の通信方法。
【００８８】
（付記１３）前記アラーム処理制御部が記憶する保護時間は１つないし複数設定され、前記アラーム処理制御部が前記光送信処理部と前記出力処理部に対して出力する制御信号の数および前記光送信処理部が生成する識別信号の数および前記出力処理部が生成する信号の数は、設定される保護時間の個数に基づいて決められる請求項８ないし１２のいずれか一項に記載の通信方法。
【符号の説明】
【００８９】
１０、２０、５０、６０、７０    通信装置
１１、２１    入力処理部
１２、２２、６２、７２    光送信処理部
１３、２３、５３、５６、６３、７３    光送信部
１４、２４、５１、５４、６４、７４    光受信部
１５、２５    受信処理部
１６、２６、６６、７６    出力処理部
１７、２７、５７、６７、７７    アラーム処理制御部
３０、４０    通信終端装置
３１、４１    装置入力部
５２、５５    送受信処理部
１００、１０２、１０３    通信システム
【図１】
0006416617.tif 000002
【図２】
0006416617.tif 000003
【図３】
0006416617.tif 000004
【図４】
0006416617.tif 000005